(57)【要約】  本発明は、ポンプ又はコンプレッサ形態とすることができ、かつ、空気、気体、混合気体といった流体、及び／又は液体を圧縮又は加速するように機能することができる装置に関する。特に、本発明は、流体を、連続的に、圧縮チャンバを構成する放射状コンパートメントの各々に吸入し、次いでそこから吐出することができる機構を提供する。【選択図】図１
2013510977.tif 000002
【特許請求の範囲】
【請求項１】
流体を送出又は圧縮するための装置であって、前記装置は、
吸入された流体を圧縮する手段を含む圧縮チャンバを備え、前記圧縮手段は、複数の放射状コンパートメントを含み、断続的バッフルが前記放射状コンパートメントの各々についての境界を定め、前記放射状コンパートメントには、前記放射状コンパートメントを定める前記バッフルに対して動くように適合された中実セグメントが内部に封入され、
前記放射状コンパートメントは、流体を吸入するための２つの入口開口部と、加圧流体を吐出するための２つの出口孔とを有することにより特徴付けられ、
前記圧縮チャンバを構成する前記放射状コンパートメントへの流体の吸入及び／又はそこからの流体の吐出を制御するための流体制御装置と、
対称的に配置された一連の孔を有する回転可能な円形板を含み、前記断続的な孔を有する前記円形板又はリングの回転が、前記コンプレッサ部の前記放射状コンパートメントへの１つの入口開口部又はその一部の開放と、他の入口開口部又はその一部の閉鎖とを可能にする弁手段と、
をさらに備え、
前記弁手段は、前記コンプレッサ部の前記放射状コンパートメントの前記出口開口部の各々の上に一方向制御弁をさらに含み、
前記バッフルと前記三角セグメントとの間の相対的運動をもたらしてじゃばら効果を生じさせ、流体をそれぞれの前記放射状コンパートメント内に吸入し、同時に前記出口開口部の１つを通ってそこから吐出するための、前記バッフルを往復振動で動かす手段が設けられたことを特徴とする装置。
【請求項２】
前記圧縮チャンバを定める圧縮部と動作可能に連通する回転可能な駆動可能軸を支持する駆動部を与える主ハウジングブロックをさらに含むことを特徴とする、請求項１に記載の装置。
【請求項３】
前記駆動部は、電気モータの形態であることを特徴とする、請求項２に記載の装置。
【請求項４】
前記バッフルを振動させるための前記手段は、前記駆動可能軸の前記回転運動を、前記バッフルの往復振動運動に変換するように適合されたカム機構の形態であることを特徴とする、請求項２〜請求項３のいずれかに記載の装置。
【請求項５】
流体を送出又は圧縮するための装置であって、
主ハウジングブロックの圧縮部と動作可能に連通する回転可能な駆動可能軸を支持する駆動部を与える主ハウジングブロックを備え、
前記圧縮部は内部に圧縮チャンバを定め、
前記圧縮チャンバは吸入された流体を圧縮する圧縮手段を含み、前記圧縮手段は複数の放射状コンパートメントを含み、断続的バッフルが前記放射状コンパートメント各々についての境界を定め、前記放射状コンパートメントには、前記放射状コンパートメントを定める前記バッフルに対して動くように適合された三角セグメントが内部に封入され、
前記放射状コンパートメントは、流体を吸入するための２つの入口開口部と、加圧流体を吐出するための２つの出口孔とを有することにより特徴付けられ、
前記圧縮チャンバを構成する前記放射状コンパートメントへの流体の吸入及び／又はそこからの流体の吐出を制御するための流体制御装置をさらに備え、
前記流体制御装置は対称的に配置された一連の孔を有する回転可能な円形板を含み、前記断続的孔を有する前記円形板又はリングの回転が、前記コンプレッサ部の前記放射状コンパートメントへの１つの入口開口部又はその一部の開放と、他の入口開口部又はその一部の閉鎖とを可能にし、前記コンプレッサ部の前記放射状コンパートメントの出口開口部の各々の上に一方向制御弁をさらに含み、
前記流体流制御装置は、前記コンプレッサ部の前記放射状コンポーネントの前記出口開口部の各々の上の一方向制御弁をさらに含み、
前記駆動可能軸の前記回転運動を往復振動運動に変換させ、前記バッフルと前記三角セグメントとの間の相対運動をもたらしてじゃばら効果を生じさせ、流体をそれぞれの前記放射状コンパートメント内に吸入し、同時に前記出口開口部の１つを通ってそこから吐出するように適合されたカム機構が設けられたことを特徴とする装置。
【請求項６】
前記三角セグメントの一方の縁部が前記バッフルに向かって移動し、空気を圧縮するとき、前記三角セグメントの前記他方の側は、前記円形リング又は板の前記断続的孔が、対応する入口孔の上に位置合わせされ、それにより、流体を前記放射状コンパートメントの内部に吸入することが可能になることを特徴とする、請求項５に記載の装置。
【請求項７】
前記入口孔が、前記円形リング又は板を往復振動することにより覆われた又は部分的に覆われた前記三角セクションの前記対向する側において、流体は吸入されないか又は減少した量の流体が吸入されることを特徴とする、請求項６に記載の装置。
【請求項８】
前記三角セグメントが前記バッフルの壁に向かって回転すると、前記流体が圧縮され、前記一方向弁を通って吐出されることを特徴とする、請求項７に記載の装置。
【請求項９】
各々の三角セグメントは、前記三角セグメントの深さ内に少なくとも部分的に延びるオリフィス又は細長い凹部を含み、前記オリフィス又は凹部の各々は、前記放射状コンパートメントの内部で、事実上、前記三角セグメントの対向する側の凹部が排他的に１つの入口開口部とだけ係合するように、前記三角セグメントの対向する側に配置されることを特徴とする、請求項５〜請求項８のいずれかに記載の装置。
【請求項１０】
前記三角セグメントの前記オリフィス又は凹部は、前記三角セグメントの両縁部上で前記三角セグメントの深さ内に延び、形状が実質的に円錐形又は円錐型であり、前記円錐構成の縁部、長さ又は肩部の部分が開き、その結果、流体通路の流れが、常に、変化する限定された寸法の空間の間で移動する設計が再び与えられることを特徴とする、請求項９に記載の装置。
【請求項１１】
前記入口開口部は、好ましくは前記放射状コンパートメントの前記半径方向直径を定めるカバー板上に配置された一連の孔であることを特徴とする請求項５〜請求項１０のいずれかに記載の装置。
【請求項１２】
前記バッフルは回転可能に支持され、前記三角セグメントは、前記圧縮チャンバ内の所定の位置に固定されたままであることを特徴とする、請求項５〜請求項１１のいずれかに記載の装置。
【請求項１３】
前記放射状コンパートメントを与える前記バッフルは、より小さい寸法の三角セグメントを内部に含むことを特徴とする、請求項１２に記載の装置。
【請求項１４】
前記バッフルは回転可能軸上に支持され、前記軸は、前記カム機構との構造的配置により、所定の角度範囲にわたって往復振動又はスイングすることを特徴とする、請求項１２〜請求項１３のいずれかに記載の装置。
【請求項１５】
前記バッフルと前記三角セグメントとの間の往復振動運動の回転角度は２０度であることを特徴とする、請求項１４に記載の装置。
【発明の詳細な説明】
【技術分野】
【０００１】
本発明は、ポンプ又はコンプレッサの形態とすることができ、かつ、空気、気体、混合気体といった流体、及び／又は液体を圧縮又は加速するように機能することができる装置に向けられる。
【背景技術】
【０００２】
多くの場合、ポンプ及びコンプレッサは、機械的動作を用いてシステムに吸入した流体の速度を強制的に高め、次いでこれを圧力又は代替的にポンプ作用に変換する。
【０００３】
典型的には、クランクに接続されたピストンをベースとするコンプレッサ及びポンプは、ピストンをシリンダ内で往復運動させ、この往復運動が流体をシリンダに送出する。ポンプは、典型的には、例えば、モータ又は場合によっては内燃モータなどによる、電動である。
【０００４】
当業者であればよく理解できるように、この型式のポンプの１つの欠点は、ピストンが圧縮ストロークにあるときにしかポンプ作用が生じないということである。ポンプが引き込みストロークにあるときは、引き込みストロークは追加の流体をシリンダ又はハウジングに吸引することが要求されるため、ポンプ作用が生じない。
従って、ピストン動作の半分は、ポンプ作用に貢献しない。
【０００５】
このような構成においては、ピストンのストロークが短く、これによりポンプの摩耗及び破損が増大すること以外にも、他の様々な問題がある。予測されるように、これらの型式のピストンポンプは、一般に、雑音レベルが過剰であり、多くの用途に適さなくなる。
【０００６】
ピストンベースのポンプ及びコンプレッサには代替物があるが、その大部分は、典型的には、電気モータで駆動される放射状翼を有する回転容積型設計が中心である。この種類のポンプ及びコンプレッサは、取入れ口を通して周囲から流体を吸引し、コンプレッサユニット又はポンプ装置内が所定の最小圧力に達したときにだけ開く最小圧力弁を通して圧力タンクに誘導する。
【０００７】
回転容積型ベースのコンプレッサ及びポンプ装置の主たる欠点の１つは、間欠動作式制御システムであり、これは、圧力が上限値に達したときに電気モータの運転が中断され、これにより電力損失及びこの構成の消耗を改善することを意味するものの、それにもかかわらず、その後圧力が低下すると、モータが静止状態から何回も再始動されるので、必要なときに即座に圧縮流体又はポンプ作用を提供することができない。
【発明の概要】
【発明が解決しようとする課題】
【０００８】
従って、本発明の目的は、上述の欠点の少なくとも幾つかを克服することができる、空気、気体、混合気及び液体などの流体を圧縮する又は送出することができる流体コンプレッサ及び／又はポンプ装置を提供することである。
【０００９】
本明細書において、これ以降、圧縮という単語の使用は、送出能力と同義であると考えられ、従って、本発明全体を通して説明される装置は、流体の圧縮に関連し得るが、当業者であれば、定義された装置が同様に流体を送出できることを理解するであろう。
【課題を解決するための手段】
【００１０】
従って、本発明の１つの形態においては、
流体を送出又は圧縮するための装置が提供され、この装置は、
吸入された流体を圧縮する手段を含む圧縮チャンバを備え、圧縮手段は、複数の放射状コンパートメントを含み、断続的バッフルが放射状コンパートメントの各々についての境界を定め、放射状コンパートメントには、放射状コンパートメントを定めるバッフルに対して動くように適合された中実セグメントが内部に封入され、
放射状コンパートメントは、流体を吸入するための２つの入口開口部と、加圧流体を吐出するための２つの出口孔とを有することにより特徴付けられ、
圧縮チャンバを構成する放射状コンパートメントへの流体の吸入及び／又はそこからの流体の吐出を制御するための流体制御装置と、
対称的に配置された一連の孔を有する回転可能な円形板を含み、断続的な孔を有する円形板又はリングの回転が、コンプレッサ部の放射状コンパートメントへの１つの入口開口部又はその一部の開放と、他の入口開口部又はその一部の閉鎖とを可能にする弁手段と、
をさらに備え、
弁手段は、コンプレッサ部の放射状コンパートメントの出口開口部の各々の上に一方向制御弁をさらに含み、
バッフルと三角セグメントとの間の相対的運動をもたらしてじゃばら効果を生じさせ、流体をそれぞれの放射状コンパートメント内に吸入し、同時に出口開口部の１つを通ってそこから吐出するための、バッフルを往復振動で動かす手段が設けられる。
【００１１】
本装置は、圧縮チャンバを定める圧縮部と動作可能に連通する回転可能な駆動可能軸を支持する駆動部を与える主ハウジングブロックをさらに含むことが好ましい。
駆動部は電気モータの形態であることが好ましい。
【００１２】
バッフルを振動させるための手段は、駆動可能軸の回転運動を、バッフルの往復振動運動に変換するように適合されたカム機構の形態であることが好ましい。
【００１３】
本発明のさらなる形態において、流体を送出又は圧縮するための装置が提案され、この装置は、
主ハウジングブロックの圧縮部と動作可能に連通する回転可能な駆動可能軸を支持する駆動部を与える主ハウジングブロックを備え、
圧縮部は内部に圧縮チャンバを定め、
圧縮チャンバは吸入された流体を圧縮する圧縮手段を含み、圧縮手段は複数の放射状コンパートメントを含み、断続的バッフルが放射状コンパートメント各々についての境界を定め、放射状コンパートメントには、放射状コンパートメントを定めるバッフルに対して動くように適合された三角セグメントが内部に封入され、
放射状コンパートメントは、流体を吸入するための２つの入口開口部と、加圧流体を吐出するための２つの出口孔とを有することにより特徴付けられ、
圧縮チャンバを構成する放射状コンパートメントへの流体の吸入及び／又はそこからの流体の吐出を制御するための流体制御装置をさらに備え、
流体制御装置は対称的に配置された一連の孔を有する回転可能な円形板を含み、断続的孔を有する円形板又はリングの回転が、コンプレッサ部の放射状コンパートメントへの１つの入口開口部又はその一部の開放と、他の入口開口部又はその一部の閉鎖とを可能にし、コンプレッサ部の放射状コンパートメントの出口開口部の各々の上に一方向制御弁をさらに含み、
流体流制御装置は、コンプレッサ部の放射状コンポーネントの出口開口部の各々の上の一方向制御弁をさらに含み、
駆動可能軸の回転運動を往復振動運動に変換させ、バッフルと三角セグメントとの間の相対運動をもたらしてじゃばら効果を生じさせ、流体をそれぞれの放射状コンパートメント内に吸入し、同時に出口開口部の１つを通ってそこから吐出するように適合されたカム機構が設けられる。
【００１４】
有利なことに、この装置は、流体を、連続的に、圧縮チャンバを構成する放射状コンパートメントのそれぞれに吸入し、次いでそこから吐出することができる機構を提供する。
【００１５】
円形リング又は板及びその上に対称的に配置された孔を用いることにより、バッフル及び三角セグメントが他方に対して往復回転してじゃばら効果がもたらされ、これにより、吸引又は真空効果と同時に送出効果の両方を与えることができるため、カム機構と組み合わされると、回転可能な円形リング上の孔が入口開口部の１つ又は２つの開口部の部分と位置合わせされ、圧縮チャンバのそれぞれの放射状コンパートメントの中に流体を吸入することができる。
【００１６】
三角セグメントの一方の縁部がバッフルに向かって移動して空気を圧縮する間、圧縮チャンバの放射状コンパートメント内の三角セグメントの他方の側は、円形リング又は板の断続的孔が、対応する入口孔の上に位置合わせされ、それにより、事実上、流体をこの特定の放射状コンパートメントの中に吸入し、それによって流体の放射状コンパートメントの内部に吸入することが可能になる。
【００１７】
しかしながら、入口孔が、往復振動する円形リング又は板により覆われた又は部分的に覆われた三角セクションの対向する側において、放射状コンパートメントのこの部分又は側において、流体は吸入さないか又は減少した量の流体が吸入されることを意味するが、三角セグメントがバッフルの壁に向かって回転すると、流体は圧縮され、従って、一方向弁を通って、放射状コンパートメントのこの側又は部分から出ていく以外にない。
【００１８】
理解されるように、各々の放射状コンパートメントは、圧縮チャンバを構成するすべての放射状コンパートメントについて、一方向弁により制御される入口開口部及び出口孔を有することにより特徴付けられる２つの部分又は側により、流体を吸入するための吸引又は真空効果を与える機能だけでなく、同時に、実際に、流体を密封空間の中に圧縮し、次いで一方向弁制御を用いることにより、圧縮チャンバから吐出する能力も有する。
【００１９】
バッフルは圧縮チャンバ内で回転可能に支持され、三角セグメントは圧縮チャンバ内の所定の位置に固定されたままであることが好ましい。
【００２０】
これらの放射状コンパートメントを与えるバッフルは、バッフルよりわずかに小さい寸法の三角セグメントを内部に含むことが好ましい。
【００２１】
従って、バッフルがカム機構により往復振動及び回転すると、放射状コンパートメントの一方の側では、三角セグメントが１つのバッフルから離れ、放射状コンパートメントの他方の側の他のバッフルに向かって移動することを意味し、このことは、バッフルの仕切り内のスペースが増大する三角セグメントの側では、流体を圧縮チャンバの中に吸収する又は吸引することができることを意味し、これにより、次いで、三角セグメントの側がバッフルの側に対して押しつけられて組み合わせられた空間が著しく小さい三角セグメントの他方の側においては、圧縮流体を生成することができ、要求される圧力解放レベルに設定できる一方向弁により、ひとたび流体がその要求レベルまで圧縮されると、これに応じて流体を吐出することができることを意味する。
【００２２】
従って、流体の流量制御の重要な動作は、圧縮チャンバを構成するそれぞれの放射状コンパートメントの入口開口部の各々を通して、流体の交換を可能にする或いは遮断する又は部分的に低減できる、断続的孔を有する円形リング又は板の使用に焦点をあてる。
【００２３】
従って、各サイクルにおいて、回転する円形板又はリングは、流体が、入口開口部の１つの中に吸入され、他のものはブロックされる又はそのことを可能にする。それにかかわらず、入口開口部が、振動回転する円形リング又は板によりブロックされている放射状コンパートメントの側では、バッフルの側に押し付けられることで圧縮作用が生じていることにより、放射状コンパートメントのこの側は、圧縮流体の形成を可能にし、圧縮流体は次いで一方向弁機構を通ってコンプレッサ貯蓄タンクに又は即時の使用のために吐出される。
【００２４】
バッフルは回転可能軸上に支持され、軸は、カム機構との構造的配置により所定の角度範囲にわたって往復振動又はスイングすることが好ましい。
圧縮チャンバには６個の個別の放射状コンパートメントがあることが好ましい。
【００２５】
各々の三角セグメントは、三角セグメントの深さ内に少なくとも部分的に延びるオリフィス又は細長い凹部を含み、各々のオリフィス又は凹部は、三角セグメントの対向する側に配置され、それにより、放射状コンパートメント内部で、事実上、三角セグメントの対向する側の凹部が区画手段を区分し、排他的に１つの入口開口部とだけ係合することが好ましい。
【００２６】
入口開口部は、放射状コンパートメントの放射状の直径を定めるカバー板上に配置される一連の孔であることが好ましい。
【００２７】
三角セグメントのオリフィス又は凹部は、三角セグメントの両縁部上で三角セグメントの深さ内に延び、形状が実質的に円錐又は円錐型であり、円錐構成の縁部、長さ又は肩部の部分が開き、その結果、流体通路の流れが、常に、変化する限定された寸法の空間の間で移動する設計を再び与えられることが好ましい。
【００２８】
バッフルと三角セグメントとの間の往復振動運動の回転角度は、２０度であることが好ましい。
【００２９】
本発明の上記及び他の目的、特徴、及び利点は、添付図面と共に好ましい実施形態の以下の詳細な説明から明らかになるであろう。
【図面の簡単な説明】
【００３０】
【図１】流体コンプレッサ又はポンプ装置の圧縮又はポンプ部を示す分解斜視図である。
【図２】カムリングと、図示される孔板を有する円形リング又は板によって、流体流を圧縮チャンバに定めることができる制御手段とを示す、図１の分解部品部分である。
【図３】圧縮部品と、バッフルと三角セグメントとにより定められるそれぞれの放射状コンパートメントの各々の出口孔を含む板とを示す、図１の部品の分解部分である。
【図４】後面カバーと、ユニットの圧縮チャンバからの圧縮流体の放出を制御する一方向弁とを含む分解図である。
【図５】後面カバーと、ユニットの圧縮チャンバからの圧縮流体の放出を制御する一方向弁とを含む分解図である。
【図６】一方向弁として巻きばねを用いるのではなく、リード弁装置が用いられる、本発明のさらなる実施形態を示す。
【図７】流体コンプレッサ又はポンプ装置の駆動可能部と、主圧縮部との係合とを示す斜視図である。
【発明を実施するための形態】
【００３１】
本発明以下の詳細な説明では、添付図面を参照する。この説明は例示的な実施形態を含むが、他の実施形態が可能であり、本発明の精神及び範囲から逸脱することなく、説明される実施形態に修正を加えることができる。可能な限り、図面及び以下の説明の全体を通して、同じ及び類似の部品を指すのに、同じ参照番号が用いられる。
【００３２】
本発明の好ましい実施形態の流体コンプレッサ又はポンプ装置の主圧縮部を、図１において、全体を１０として、分解図により示す。
前カバー１２と、主圧縮本体又はカバー１６と、後面カバー２０とが含まれる。
【００３３】
ロッド又はボルト５０は、ガイド孔７２及びコラム７１を通り、三角セグメントの開口部６６を通り、次いで孔板４８上まで上方に延びて、これらの部品を一緒にすることができる。
【００３４】
対応するねじ４０を有するロッド又はボルト３８は、前カバー１２が主圧縮部本体１６上に配置されるように、ねじ孔４２の中に固定されるように適合される。
【００３５】
カムリング１４はピン２６を含み、肩部２４と共に、対称的に配置された一連の孔３０を含む円形リング２８の振動度を制御することができる。
【００３６】
カムリング１４は、円形リング又は板２８の進入部３４内に載ることができる、矢印２７の方向に延びる延長肩部（図示せず）を有する。
【００３７】
当業者であれば、カムリングは、モータなどの駆動機構からの軸の連続回転運動を、板２８の振動運動に変換できることを理解するであろうし、圧縮チャンバ内部のバッフル５６を支持する回転係合可能軸５２についてはまもなく論じられる。
【００３８】
図１及び図２に関する説明から理解できるように、流体は、図２において全体が２７として示されように、円形リング２８の孔３０を通り、流体コンプレッサ又はポンプ装置の主圧縮部１６に吸入することができる。
【００３９】
装置が構築されるとき、板２８の回転は、圧縮チャンバを構成し、位置決めされた三角セグメント６０に対する相対運動において往復振動するように適合された軸５２から半径方向外方に延びるバッフル５６により定められる又は与えられる、それぞれの放射状コンパートメントの各々の入口開口部４４、４６のうちの一方の上にだけ孔３０が載るようにされる。
【００４０】
進入部又は開放凹部６２及び６４を含む三角セグメントの他端は、軸５２上に支持される半径方向に延びるバッフル５６により、圧縮チャンバの内部に定められた放射状コンパートメントの各々からの対応する出口孔を含む、後面板と説明されるものである。
【００４１】
従って、当業者であれば理解できるように、流体コンプレッサ又はポンプ装置の圧縮チャンバ内部の、好ましい実施形態においては６つである、放射状コンパートメントの各々は、事実上、２つの入口開口部及び２つの出口孔を有する。
【００４２】
しかしながら、それぞれの放射状コンパートメントへの流体の吸入は、カムリング１４により与えられるカム機構によって、往復振動するリング２８により制御される。
【００４３】
従って、入口開口部４４及び４６の各々より大きい寸法の孔３０は、連続して往復振動し、それによって、一方の側又は一部に対してであるに関わらず、放射状コンパートメントの各々への、実際に連続した流体の吸入が可能になる。
【００４４】
円形リング２８の孔３０が完全に入口開口部の１つの上にある場合、その時点で、一方の側では放射状コンパートメントの一方の側に流体を吸引又は吸入しており、他方の側で、事実上圧縮流体を吐出している。
【００４５】
しかし、理解されるように、円形リングの孔３０が往復振動すると、両方の入口開口部４４及び４６が、角度を変えて中に流体を吸入する時間がある。
【００４６】
それにかかわらず、出口孔６８及び７０、及び図４において最もよくわかる、キャップ８６を有する弁８４を収容するばねを含む一方向制御弁を用いることにより、流体の吐出は、この事例では、ばね８０を用いる一方向制御弁により与えられる弾性又は圧力と合致したときにしか生じない。
【００４７】
上述のように、バッフル５６が三角セグメントに向かって回転すると、じゃばら効果がもたらされる。
流体は一方の側で吸い込まれ、圧縮が生じている側の流体は、そこからの吐出のために一方向弁を押し下げるのに十分高いレベルに到達する。
矢印２９は、一般的な、圧縮流体の吐出を示す。
【００４８】
それにかかわらず、当業者であれば理解できるように、後面板１８のそれぞれの孔６８、７０の位置に対する、一般的に８４として、合致するキャップ８６と共に示される一連の一方向弁は、すべて、種々の導管或いはスロット又は１つだけの吐出位置により結合することができる。
【００４９】
図３において最もよくわかるように、後面板は、一方向ばね負荷弁のキャップ８６が、後面板１８内に良好に座ることができるように良好にテーパされた孔７１を有するため、弁が閉位置にあるときに、流体が不必要に目的なく放出されることはない。
図５において最もよくわかるように、一方向弁は、良好に支持導管７６内に置くことができる。
【００５０】
当業者であれば理解するように、一方向弁の実際の配置は、形はどうあれ、本発明にとって重要又は不可欠ではない。
【００５１】
一方向弁機構はまた、図６に示されるものを含む様々な他の代替的な実施形態により与えることができ、ここでは、リード板のそれぞれのリーフ７５が後面板１８の孔６８、７０の各々を覆う、一般的に７３として示すリード弁機構が与えられる。
【００５２】
図７においては、駆動可能部は、単純に電気モータ８７であり、モータの連続的な円形回転を、弁板又は円形リング２８並びに軸５２上のバッフル５６の両方の往復振動に転換するために、主前面カバーの開口部８８には、カム機構と相互作用するためのガイド９０の挿入が可能である。
【００５３】
本発明において依然として重要なことは、カム機構により、所定の角度で往復振動又はスイングすることができる回転可能バッフルで構成された圧縮チャンバの独特な使用である。
【００５４】
好ましい実施形態においては、三角セグメントが固定され、バッフルが振動する、三角セグメントに対するバッフルの相対運動は、圧縮チャンバにおける放射状コンパートメントの生成を可能にし、それによって、バッフルがそれぞれの三角セグメントに向かう又は離れる運動が、じゃばら効果を生み出し、これが流体を圧縮チャンバの中に吸入することができる機構と、流体を圧縮し、流体が圧縮レベルに到達すると、圧縮流体を放出するように一方向弁を起動させることができる手段も与える。
【００５５】
有利なことに、断続的孔を用いて、円形リングを弁機構として有することにより、それぞれの放射状コンパートメントの各々への流体の吸入を制御することができる。
【００５６】
このことも、円形リング又は板が、入口開口部の上をかつ横切って振動し、三角セグメントの縁部の周りの放射状コンパートメントのそれぞれの側又は部分の中へ連続的に流体を吸入又は遮断できる、独特な能力により実現される。
【００５７】
事実上、このじゃばら効果は、流体が、連続的に、吸入されて圧縮チャンバに入り、かつ、全て同じサイクル内で、同じ圧縮チャンバから圧縮流体を吐出することができる手段をもたらす。
【００５８】
本発明の範囲から逸脱することなく、本発明に、さらに別の利点及び改良を明白になすことができる。本発明は、最も実際的で好ましい実施形態であると考えられるものの形で示され説明されたが、それらの逸脱は、本明細書で開示された詳細に限定されず、いずれの及び全ての同等のデバイス及び装置を包含するように特許請求の全範囲と一致する、本発明の範囲及び精神内でなし得ることが認識される。
【００５９】
添付のいずれの特許請求の範囲及び本発明の要約においても、用語又は必要な含意を表すために文脈が他の意味を要求する場合を除いて、「備える（ｃｏｍｐｒｉｓｉｎｇ）」という語は、「含む（ｉｎｃｌｕｄｉｎｇ）」の意味で用いられる、即ち、本発明の種々の実施形態において、指定される特徴をさらに別の特徴と関連付けることができる。
【符号の説明】
【００６０】
１０：主圧縮部
１２：前面カバー
１４：カムリング
１６：主圧縮部本体又はカバー
１８：後面板
２０：後面カバー
２４：肩部
２６：ピン
２８：円形リング
３０：孔
３４：進入部
３８、５０：ロッド又はボルト
４０：ねじ
４２：ねじ孔
４４、４６：入口開口部
４８：孔板
５２：軸
５６：バッフル
６０：三角セグメント
６２、６４：開放凹部
６６：三角セグメントの開口部
６８、７０：出口孔
７１：コラム（孔）
７２：ガイド孔
７３：リード弁機構
７５：リーフ
７６：支持導管
８０：ばね
８４：弁
８６：キャップ
８７：電気モータ
８８：開口部
９０：ガイド
【図１】
2013510977.tif 000003
【図２】
2013510977.tif 000004
【図３】
2013510977.tif 000005
【図４】
2013510977.tif 000006
【図５】
2013510977.tif 000007
【図６】
2013510977.tif 000008
【図７】
2013510977.tif 000009
【国際調査報告】
2013510977.tif 000010
2013510977.tif 000011